(57)【要約】【課題】  従来の使用されているお薬の手帳は医院などにかかり薬局にいくと薬の飲む量などをかきしるすためのお薬の手帳をもらいます。その、お薬の手帳は大きさが大きく持ち運びが不便でした。【解決手段】  お薬の手帳を従来より小型にして持ち運びが便利になるようにする。【選択図】図１
0003127088.tif 000002
【実用新案登録請求の範囲】
【請求項１】
現在、医療機関にかかった場合、薬についての説明及び飲みあわせによる副作用の事故の予防のための薬の説明書及び他の医療機関にかかるときのため、お薬の手帳というものをいただきます。その、お薬の手帳というものは、現在の大きさというと、もちあるくのに不便なおおきさになっています。その、お薬の手帳を小型にして、持ち運び便利にしたものを新たに発明し、本、発明としたものである。又、本発明のお薬の手帳に、さまざまな、おおきさの、穴を、さまざまな、位置や場所に、つけることができるようにした。又、本発明のお薬の手帳に、ブックカバーなどの、覆いや包装をつけるようにした。又、従来より、小さくした、さまざまな、おおきさや、かたちの、おくすりの、手帳にした。又、方法としても、従来より、小型にすることについても、できるようにした。又、方法としても、利用や活用などができるようにした。
【請求項２】
本発明のお薬の手帳のおおきさは、従来のより小型であれば自由なおおきさにするる。利用や活用ができるようにした。又、本発明のお薬の手帳に、さまざまな、おおきさの、穴を、さまざまな、位置や場所に、つけることができるようにした。又、本発明のお薬の手帳に、ブックカバーなどの、覆いや包装が、できるようにもした。又、従来より、小さくした、さまざまな、おおきさや、かたちの、おくすりの、手帳にした。小型にすることについても、できるようにした。又、方法としても、従来より、小型にすることについても、できるようにした。又、方法として、利用や活用などができるようにした。
【請求項３】
本発明のお薬の手帳の材質は、さまざまなものにする。又、本発明の、お薬の手帳に、さまざまな、おおきさの、穴を、さまざまな、位置や場所に、つけることができるようにした。又、従来より、小さくした、さまざまな、おおきさや、かたちの、おくすりの、手帳にした。又、本発明の、お薬の手帳に、ブックカバーなどの覆いや包装が、できるようにした。又、方法としても、従来より、小型にすることについても、できるようにした。又、方法として、利用や活用などが、できるようにした。
【考案の詳細な説明】
【技術分野】
【０００１】  本発明は、従来の薬局などにおいて使用されているお薬の説明をしたお薬の手帳に関するものである。
【背景技術】
【０００２】  従来のお薬の手帳は、約として、縦約１４センチ７ミリから縦約１４センチ８ミリ、横約１０センチ４ミリから横約１０センチ５ミリであり、一般的なお金をいれる小型のお財布などには、はいらず、もちはこびが不便でした。【０００３】  以下、図４により従来のお薬の手帳を説明する。【０００４】
【特許文献１】
【非特許文献】
【考案の開示】
【考案が解決しようとする課題】
【０００５】  以上に述べた従来のお薬の手帳は持ち運びが不便であった。【０００６】  本発明は、このような従来のお薬の手帳の大きさを、解決しようとしたものであり、使いかっての良いかたちすなわち小型にしたものである。従来のお薬の手帳を、小型にして、新しいものをできるようにして、よりいっそうの、お薬の手帳を、活躍できるようにできるようにした。又、お薬の手帳に、ブックカバーなどの、覆いや包装をつけられるようにする。又、お薬の手帳に、さまざまな、おおきさや、かたちの、穴をつくり、ひもなどをとおせるようにしたり、ひもで、お薬の手帳をつなぎあわせたり、つなぎとめたりできるようにする。
【課題を解決するための手段】
【０００７】  そして、本発明は、上記目的を達成するために上記のお薬の手帳を一般的な小型のお財布の大きさに入るように、小型化を実現する。さまざまな、おおきさや、かたちなどにして、デザインとしても、新たなものとなり、従来にない、利用や活用が、うまれることにもする。又、お薬の手帳に、ブックカバーなどの、覆いや包装をつけられるようにする。又、お薬の手帳に、さまざまな、おおきさや、かたちの、穴をつくり、ひもなどをとおにるようにする。そして、お薬の手帳を、つなぎあわせたり、つなぎとめたり、できるようにする。
【考案の効果】
【０００８】  上述したように、本発明のお薬の手帳は小型になり、さまざまな科の、医院から医院へや、医院から診療所へや、医院や診療所から各病院へや、それらの医療機関や福祉機関などから、医科大学病院へ通院や入院や投薬するときなどに、気軽に持ち運びが可能になり、前、病気などのためのお薬の飲んだことや、つけたりしたことなどが、いろいろと、参考になったり、わかるようになったりして、従来よりもつかいやすくなった。又、お薬の手帳を、業として生産や販売などや、その他において、営業としている、事業組織体等などや、委嘱生産工場などの施設等においては、新たな商品として、生産商品として、新たなものとなった。又、いつでも、どこでも、もちはこぶことができるようになって、通勤の時や仕事の時、通学のとき、など、やその他携帯のときや、その他さまつざまな、ときに、従来より携帯して、もってはこべるようにしやすくなった。又、子供や、老人などでは、従来の状況より、生活するうえで利用しやすくなった。
【考案を実施するための最良の形態】
【０００９】  本発明は、他の医療機関にかかる場合などに、小型になって使いやすくなったお薬の手帳をお財布などにいれて、いつでもどこでももってあるくようにする。
【産業上の利用可能性】
【０００１０】  上述したように本発明のお薬の手帳は小型になり、気軽に持ち運びができるようになり使いやすいものが提供できるようになった。又、新しいものとして、工場生産などで、計画生産し計画販売できるようにして、経済的にも、大きな産業ともなり、製品の新規製品をみのらせることにもなり、調剤する薬局等での販売するうえで、経営の発展や伸展のてだすけともなり、産業上の利用可能性からみても、医療福祉貢献だけでなく、おおきな、経済貢献ともなり、おおいに、産業上の利用が可能である。
【図面の簡単な説明】
【図１】本発明のお薬の手帳
【図２】本発明のお薬の手帳
【図３】本発明のお薬の手帳
【図４】従来の一般的に使用されているお薬の手帳
【符号の説明】
【図１】
0003127088.tif 000003
【図２】
0003127088.tif 000004
【図３】
0003127088.tif 000005
【図４】
0003127088.tif 000006
【手続補正書】
【提出日】平成18年3月30日(2006.3.30)
【手続補正１】
【補正対象書類名】実用新案登録請求の範囲
【補正の内容】
0003127088.tif 000007
0003127088.tif 000008
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
現在、医療機関にかかった場合、薬についての説明及び飲みあわせによる副作用の事故の予防のための薬の説明書及び他の医療機関にかかるときのため、お薬の手帳というものをいただきます、その、お薬の手帳というものは、現在の大きさというと、もちあるくのに不便なおおきさになっています、その、お薬の手帳を正方形や長方形や円形の形状を有する、小型にして、持ち運び便利にしたものを新たに考案し、本考案としたものであり、小型にした、さまざまな、おおきさの、正方形や長方形や円形の形状を有する、小型にしたお薬の手帳。
【請求項２】
本考案のお薬の手帳のおおきさは、従来より、小型であれば正方形や長方形や円形の形状を有する、自由なおおきさにするる、利用や活用ができるようにしたものであり、小型にした、さまざまな、おおきさの、正方形や長方形や円形の形状を有する、小型にしたお薬の手帳。
【請求項３】
本考案の、お薬の手帳は、正方形や長方形や円形の形状を有する、おくすりの手帳であり、お薬の手帳の材質は、さまざまな、ものにするものであり、小型にした、さまざまな、おおきさの、正方形や長方形や円形の形状を有する、小型にしたお薬の手帳。
【請求項４】
又、本考案のお薬の手帳に、さまざまな、おおきさの、穴を、さまざまな、位置や場所に、つけることができるようにして、又、本考案のお薬の手帳に、ブックカバーなどの、覆いや包装をつけるようにしたものであり、又、従来より、小さくした、正方形や長方形や円形の形状を有する、さまざまな、おおきさや、かたちの、おくすりの、手帳にしたものであり、又、方法としても、従来より、正方形や長方形や円形の形状を有する、小型にすることも、できるようにした、ものであり、又、方法としても、利用や活用などができるようにしたものであり、小型にした、さまざまな、おおきさの、正方形や長方形や円形の形状を有する、小型にしたお薬の手帳。
【請求項５】
又、本考案のお薬の手帳に、さまざまな、おおきさの、穴を、さまざまな、位置や場所に、つけることができるようにして、又、本考案のお薬の手帳に、ブックカバーなどの、覆いや包装ができるようにもしたものであり、又、従来より、小さくした、正方形や長方形や円形の形状を有する、さまざまな、おおきさや、かたちの、おくすりの、手帳にして、又、正方形や長方形や円形の形状を有する、小型にすることについても、できるようにしたものであり、又、方法として、従来より、小型にすることについても、できるようにして、又、方法として、利用や活用などができるようにしたものであり、小型にした、さまざまな、おおきさの、正方形や長方形や円形の形状を有する、小型にしたお薬の手帳。
【請求項６】
又、本考案の、お薬の手帳に、さまざまな、おおきさの、穴を、さまざまな、位置や場所に、つけることができるようにしたものであり、又、従来より、小さくした、正方形や長方形や円形の形状を有する、さまざまな、おおきさや、かたちの、おくすりの、手帳にしたものであり、又、本考案の、お薬むの手帳に、ブックカバーなどの覆いや包装が、できるようにしたものであり又、方法としても、従来より、正方形や長方形や円形の形状を有する、小型にすることについても、できるようにして、又、方法として、利用や活用などが、できるようにしたものであり、小型にした、さまざまな、おおきさの、正方形や長方形や円形の形状を有する、小型にしたお薬の手帳。